(57)【特許請求の範囲】
【請求項１】
水を電気分解して電解水を生成する電解手段と、この電解手段が生成した電解水が滴下される気液接触部材と、この気液接触部材に室内の空気を送風する送風ファンとを備えた空気除菌装置において、
前記電解手段を電解時間と待機時間とからなる電解周期で運転させるとともに、前記送風ファンを運転時間と停止時間とからなる間欠運転周期で間欠運転させる運転手段を備え、
この運転手段は、前記電解手段及び前記送風ファンの運転開始から当該電解手段の最初の電解周期が終了した時点で、前記送風ファンの前記間欠運転を行い、運転開始から前記電解周期と前記間欠運転周期の運転時間とからなる所定時間の間、送風ファンを連続運転させることを特徴とする空気除菌装置。
【請求項２】
前記所定時間が本装置の設置空間を清浄するのに十分な時間であることを特徴とする請求項１に記載の空気除菌装置。
【請求項３】
前記間欠運転が風速弱の間欠運転であることを特徴とする請求項１または２に記載の空気除菌装置。
【請求項４】
前記送風ファンの間欠運転において、前記送風ファンが停止する場合には、前記電解手段が停止の状態にあると共に、前記送風ファンが運転する場合には、前記電解手段が運転もしくは停止の状態にあることを特徴とする請求項１乃至３のいずれかに記載の空気除菌装置。
【請求項５】
前記風速弱の間欠運転は、リニアに行って風量の変化を滑らかに行わせることを特徴とする請求項３に記載の空気除菌装置。
【発明の詳細な説明】
【技術分野】
【０００１】
本発明は、細菌、ウィルス、真菌等の空中浮遊微生物（以下、単に「ウィルス等」という）の除去が可能な空気除菌装置に関する。
【背景技術】
【０００２】
一般に、ウィルス等の除去を目的として、空気中に電解水ミストを拡散させて、この電解水ミストをウィルス等に直接接触させ、ウィルス等を不活化する除菌装置が提案されている（例えば、特許文献１参照）。
【０００３】
しかし、従来の除菌装置は、微粒子状の電解水ミストが到達しやすい使用環境下、すなわち、比較的小空間では効力を発揮するものの、電解水ミストが到達しにくい使用環境下、すなわち、大空間、例えば幼稚園や小・中・高等学校や、介護保険施設や、病院等では効力を発揮しにくいという問題がある。
【０００４】
これを解消するため、一つの筐体内に、保水性を有する気液接触部材を設け、この気液接触部材に水道水を電気分解して得た電解水を滴下しつつ、シロッコファン等の送風ファンによって、気液接触部材に室内空気を送風し、大空間の空気に含まれるウィルス等やアレルギー物質を無害化する空気除菌装置が出願人によって提案されている。
【特許文献１】特開２００２−１８１３５８号公報
【発明の開示】
【発明が解決しようとする課題】
【０００５】
上記空気除菌装置では、送風ファンを連続的に運転しているが、例えば本装置の設置空間の空気除菌をほぼ終了した時点でも、さらに連続運転を継続すると、送風ファン等の電力使用量を増大させるといった問題がある。
【０００６】
本発明は、上述した事情に鑑みてなされたものであり、電力使用量を削減し、省エネルギー化が図れる空気除菌装置を提供することにある。
【課題を解決するための手段】
【０００７】
上述した課題を解決するため、本発明は、水を電気分解して電解水を生成する電解手段と、この電解手段が生成した電解水が滴下される気液接触部材と、この気液接触部材に室内の空気を送風する送風ファンとを備えた空気除菌装置において、前記電解手段を電解時間と待機時間とからなる電解周期で運転させるとともに、前記送風ファンを運転時間と停止時間とからなる間欠運転周期で間欠運転させる運転手段を備え、この運転手段は、前記電解手段及び前記送風ファンの運転開始から当該電解手段の最初の電解周期が終了した時点で、前記送風ファンの前記間欠運転を行い、運転開始から前記電解周期と前記間欠運転周期の運転時間とからなる所定時間の間、送風ファンを連続運転させることを特徴とする。
【０００８】
この場合において、前記所定時間が本装置の設置空間を清浄するのに十分な時間である構成としても良い。また、前記間欠運転が風速弱の間欠運転である構成としても良い。また、前記送風ファンの間欠運転において、前記送風ファンが停止する場合には、前記電解手段が停止の状態にあると共に、前記送風ファンが運転する場合には、前記電解手段が運転もしくは停止の状態にある構成としても良い。
【０００９】
また、前記風速弱の間欠運転は、リニアに行って風量の変化を滑らかに行わせる構成としても良い。この構成によれば、風速（風量）の切り替えをリニア制御することにより、風量切替時の音の変化が押さえられるため、静音性を実現できるとともに、ユーザが風量変化に違和感を覚えることが防止される。
【発明の効果】
【００１０】
本発明によれば、送風ファンを間欠運転させる運転手段を備え、この運転手段により間欠運転を行う場合、運転の開始から所定時間の間、送風ファンを連続運転させるため、送風ファンの運転時間を低減することにより、電力使用量を削減し、省エネルギー化を図ることができる。
【発明を実施するための最良の形態】
【００１１】
以下、図面を参照して本発明の実施形態を詳述する。
図１において、符号１は、可搬式の床置き式空気除菌装置を示す。この空気除菌装置１は、箱形の筐体２を備え、この筐体２は、略枠状に形成されたフレーム２０（図２参照）と、このフレーム２０に取り付けられる前パネル２Ａ、背面パネル２Ｂ、左右一対の側面パネル２Ｃ、天パネル２Ｄ及び左右一対の脚部２Ｅとを有し、天パネル２Ｄの両側には、操作蓋２Ｆ及び開閉蓋２Ｇが開閉自在に配置されている。
【００１２】
上記フレーム２０には、図２に示すように、筐体２の内側を縦に仕切る２枚の仕切り板２１、２２が間隔を空けて配設され、これら仕切り板２１、２２によって筐体２の内部空間が３つの室Ａ、Ｂ、Ｃに仕切られている。
中央の室Ａには、下方から順に、吸込パネル３、送風ファン７の支持板８、水受け皿９、気液接触部材５及び吹出パネル４が配設されている。また、一端側の室Ｂには、水受け皿９に連接される支持皿１０と、支持皿１０に貯留される水（電解水）を汲み出す循環ポンプ１３と、この循環ポンプ１３の吐出側に接続された電解槽３１とが配設されており、他端側の室Ｃには、電解槽３１を含むこの空気除菌装置１全体を制御する制御部１００を構成する制御基板（図示せず）等が配設されている。以下、各部材を詳述する。
【００１３】
吸込パネル３は、床面と間隔を空けて略水平に配置されると共に、その上面にプレフィルター３Ａが配置され、支持板８には、吸込パネル３を介して外の空気を吸い込んで支持板８の上方に向けて送風する送風ファン７が取り付けられている。
図３に示すように、送風ファン７の送風口７Ａは、背面パネル２Ｂ寄りに設けられ、支持板８には、この送風口７Ａを避けて略上方に延出する支持フレーム８Ａが設けられ、この支持フレーム８Ａには、気液接触部材５が、その背面を送風口７Ａに向けて斜めに取り付けられると共に、水受け皿９が、この気液接触部材５の下縁部の直下に取り付けられている。吹出パネル４は、上記部屋Ａの上方全体を覆うように配設され、送風ファン７から送風されて気液接触部材５を通過した空気を整流する整流フィンが間隔を空けて設けられている。
送風ファン７は、シロッコファンをケース内部に備えるものであり、制御部１００の制御下においてインバータ等を介して、吹き出し風量（風速）を多段階に変更可能に構成されている。具体的には、風速「強」（例えば、平均風量：８ｍ3／ｍｉｎ）、風速「弱」（例えば、平均風速：５ｍ3／ｍｉｎ）、及び、「間欠」（例えば、平均風量：３ｍ3／ｍｉｎ）の３段階に変更可能となっている。本構成では、この間欠運転は、風速弱での間欠運転に設定されており、送風ファン７は、工場出荷時には間欠運転するように設定されている。この送風ファン７の間欠運転については後述する。
【００１４】
気液接触部材５は、図４に示すように、空気が流通するエレメント部Ｅと、このエレメント部Ｅを支持するフレーム部Ｆとを有している。エレメント部Ｅは、波板状の波板部材５Ａと平板状の平板部材５Ｂとが積層されて構成され、これら波板部材５Ａと平板部材５Ｂとの間に略三角状の多数の開口５Ｆが形成され、気体接触面積が広く確保され、電解水滴下が可能で、目詰まりしにくい構造になっている。
より具体的には、フレーム部Ｆは、気液接触部材５の両端枠を構成する左右一対一対の枠部材５Ｄと、左右一方の枠部材５Ｄの上部を貫通して他方の枠部材５Ｄに先端が固定される電解水供給管１７と、この電解水供給管１７を覆うように左右一対の枠部材５Ｄの上端部間に配設されて気液接触部材５の上枠を構成するカバー５Ｇとを備え、このカバー５Ｇは、電解水供給管１７の下方に配置される第１分流シート５Ｃを支持している。また、上記エレメント部Ｅは、左右一対の枠部材５Ｄ間に配置され、このエレメント部Ｅの上面には、複数枚の第２分流シート５Ｅが配置されている。
上記波板部材５Ａ、平板部材５Ｂ、第１分流シート５Ｃ及び第２分流シート５Ｅは、液体の浸透性を有する繊維素材であって、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂が使用されている。
【００１５】
上記電解水供給管１７には、電解槽３１内で生成された電解水が供給され、この電解水は、電解水供給管１７の軸方向に間隔を空けて形成された複数の散水孔（図示せず）から第１分流シート５Ｃに滴下され、第１分流シート５Ｃ全体に拡散して第２分流シート５Ｅに滴下し、第２分流シート５Ｅ全体に拡散してエレメント部Ｅの上部全体に浸透し、気液接触部材５の傾斜に沿って下方に浸透していく。すなわち、上記分流シート５Ｃ及び５Ｅにより気液接触部材５の長手方向の隅々にまで電解水を均等に浸透させることができる。
さらに、多数の散水孔からの当該孔径に対応する総散水量は、循環ポンプ１３の吐出量よりも少なく設定されている。このため、電解水供給管１７内の電解水圧力が高められ、電解水が末端の散水孔にまでくまなく供給され、これによっても、気液接触部材５の長手方向の隅々にまで電解水を均等に浸透させることができる。
【００１６】
上記気液接触部材５の傾斜角θは、図３に示すように、３０°以上であることが望ましい。それ以下の場合、滴下した電解水が、気液接触部材５の傾斜に沿って流れず、下方に落下するためである。また、傾斜角θが９０°に近づいた場合、気液接触部材５を通過する送風経路が水平に近くなり、その分だけ上方への吹き出しが困難になる。この吹き出し方向を水平にした場合、吹き出し空気を遠くに送風できなくなり、後述するように、大空間の除菌に適した装置とならない。この傾斜角θは、８０°＞θ＞３０°が好ましく、本構成では約５７°に設定されている。
【００１７】
室Ｃに配設される支持皿１０は、図２に示すように、水受け皿９より一段低い位置に設けられて水受け皿９から流れる水（電解水）が貯留されると共に、給水タンク１１を支持する支持部１０Ａが一体に形成され、この支持皿１０に貯留される水が少ない場合には給水タンク１１内の水が自動的に供給され、支持皿１０には常時一定水量の水が貯留される。ここで、給水タンク１１には水道水が溜められ、水道水を支持皿１０に供給している。
【００１８】
電解槽３１は、電解水を生成する電解手段として機能するものであり、循環ポンプ１３の吐出口から上方に延びる配管２５に接続され、循環ポンプ１３よりも上方位置に配置されている。この電解槽３１は、図５に示すように、複数の電極３２、３３を備え、制御部１００の制御の下、電極３２、３３が通電されることにより、電解槽３１に供給された水道水が電気分解されて活性酸素種が生成される。そして、この活性酸素種を含む電解水は、図２に示す配管２６を介して気液接触部材５の電解水供給管１７に供給される。なお、上記電解水供給管１７を電解槽３１に直接接続することによって、上記配管２６を兼用させてもよい。
ここで、活性酸素種とは、通常の酸素よりも高い酸化活性を持つ分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。この電解槽３１は、図２に示すように、気液接触部材５に接近して配置されるため、電解槽３１内の電解水をただちに気液接触部材５に供給できるように構成されている。
【００１９】
電極３２、３３は、例えばベースがＴｉ（チタン）で皮膜層がＩｒ（イリジウム）、Ｐｔ（白金）から構成された電極板であり、この電極３２、３３に供給する電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００２０】
詳述すると、上記電極３２、３３により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００２１】
この構成では、電極３２、３３に通電することで、殺菌力の大きいＨＣｌＯ（次亜塩素酸）が発生し、この次亜塩素酸が供給された気液接触部材５に空気を通過させることにより、この気液接触部材５で雑菌が繁殖することを防止でき、気液接触部材５を通過する空気中に浮遊するウィルスを不活化することができる。また、臭気も気液接触部材５を通過する際に、電解水中の次亜塩素酸と反応し、イオン化して溶解することで、空気中から除去され、脱臭される。
【００２２】
図６に示すように、制御部１００は、マイコン１００Ａ及びメモリ１００Ｂを備え、マイコン１００Ａがメモリ１００Ｂに記憶された制御プログラムを実行することにより、空気除菌装置１の各部を中枢的に制御する。本構成では、制御部１００は、送風ファン７を間欠運転させる運転手段として機能する。
この制御部１００には、操作パネル１０１と、報知パネル１０２と、電解槽フロートスイッチ（以下、電解槽ＦＳ）１０３と、水受け皿フロートスイッチ（以下、水受け皿ＦＳ）１０４と、インバータ回路１０５とが接続されている。
操作パネル１０１は、操作蓋２Ｄを開くと露出する位置に設けられ、本構成では、運転開始ボタンや風量変更ボタン等の各種操作子と表示パネルとを備えたリモコンユニットが適用され、ユーザからの各種指示を制御部１００に通知する他、各種情報を表示可能となっている。報知パネル１０２は、前パネル２Ａに設けられ、図１に示すように、運転中か否かを示す運転ランプ１０２Ａ、給水タンク１１の給水要求を報知する給水ランプ１０２Ｂ等を備えている。
電解槽ＦＳ１０３は、電解槽３１に所定水位以上の水が有るか否かを検出する水位センサであり、水受け皿ＦＳ１０４は、支持皿１０に所定水位以上の水が有るか否かを検出する水位センサであり、制御部１００は、電解槽ＦＳ１０３及び水受け皿ＦＳ１０４の検出結果に基づいて報知パネル１０２の給水ランプ１０２Ｂを点灯制御する。
インバータ回路１０５には、送風ファン７が接続されており、ユーザの風量変更指示により、この送風ファン７へ供給される電源周波数を変更し、当該送風ファン７の吹き出し風量を変更する。
【００２３】
この構成により、操作パネル１０１が操作されて運転が指示されると、制御部１００は、運転ランプ１０２Ａを点灯すると共に、循環ポンプ１３を駆動し、支持皿１０に貯留される水道水を電解槽３１に供給し、電解槽３１では水道水を電気分解させて活性酸素種を含む電解水を生成させ、配管２６及び電解水供給管１７を経由して気液接触部材５に滴下され、徐々に浸透する。そして、気液接触部材５から滴下した電解水は、水受け皿９が受けて、水受け皿９から支持皿１０に流入し、そこに貯留される。このように、本構成では、水が循環式となっており、蒸発等により水量が減った場合、給水タンク１１内の水道水が、支持皿１０に適量供給される。この給水タンク１１は、開閉蓋２Ｇ（図１参照）を開いて取り出して水道水の補給が可能となる。
【００２４】
電解水が浸透した気液接触部材５には、送風ファン７を経て、矢印Ｘで示すように、室内の空気が供給される。この室内の空気は、気液接触部材５にしみ込んだ活性酸素種に接触して或いは近傍を通過して、再び、室内に吹き出される。この活性酸素種は、ウィルス、花粉及びダニのフンや死骸等のアレルギー物質を抑制する機能を持ち、例えば、空気中にインフルエンザウィルスが浮遊した場合、その感染に必須の当該ウィルスの表面蛋白（スパイク）を破壊、消失（除去）し、これを破壊すると、インフルエンザウィルスと、当該ウィルスが感染するのに必要な受容体（レセプタ）とが結合しなくなり、これによって感染が阻止される。実証試験の結果、インフルエンザウィルスが浮遊した空気を、本構成の気液接触部材５に通した場合、当該ウィルスを９９％以上除去できることが判明した。
【００２５】
上述のように、空気除菌装置１は、ユーザの選択により送風ファン７を間欠的に運転するように構成されている。この送風ファン７の間欠運転モード時の動作について、以下に説明する。この間欠運転モードは、送風ファン７の風速設定を「間欠」とした状態で、運転を開始した場合に実行される。
図７は、送風ファン７の間欠運転モード時の動作手順を示すフローチャートであり、図８は、間欠運転モード時の各部の動作タイミングを示すタイミングチャートである。
制御部１００は、図７に示すように、ユーザの指示に基づき運転を開始（以下、運転オン）すると（ステップＳ１）、内部カウンタにより運転時間ｔのカウントを開始（ｔ＝ｔ０）するとともに（ステップＳ２）、循環ポンプ１３の運転を開始する（ステップＳ３）。この循環ポンプ１３は、空気除菌装置１の運転が停止されるまで運転を継続する。
【００２６】
続いて、制御部１００は、運転開始から所定の遅延時間Ｔ１（本実施形態では３分）経過したか否かを判別（ステップＳ４）し、経過していない場合には処理をステップＳ３に戻す。この遅延時間Ｔ１は、循環ポンプ１３の運転により、支持皿１０に貯留される水を気液接触部材５に滴下させて、この気液接触部材５を十分に湿潤させるための時間である。
一方、この判別において、運転開始から上記遅延時間Ｔ１が経過している（ｔ＝ｔ１）場合には、電解槽３１に収容された電極３２、３３に通電することにより、水道水の電気分解を開始（ステップＳ５）するとともに、送風ファン７の運転を開始する（ステップＳ６）。本構成では、間欠運転モード時には、送風ファン７は風速弱で間欠運転される。
【００２７】
ステップ５における電気分解処理は、図８に示すように、電解時間Ｔ２（本実施形態では３分）と待機時間Ｔ３（本実施形態では３０分）とからなる電解周期Ｔ４を繰り返し実行するようになっている。制御部１００は、この電解周期Ｔ４（本実施形態では３３分）ごとに電解時間Ｔ２の電気分解を行う。この電解時間Ｔ２は、電気分解後の電解水中に含まれる遊離残留塩素濃度が所定の値（例えば１ｍｇ（ミリグラム）／ｌ（リットル））となるように実験等に基づいて設定されている。
【００２８】
続いて、制御部１００は、電気分解開始から上記電解周期Ｔ４が経過したか否かを判別（ステップＳ７）し、経過している（ｔ＝ｔ２）場合には、送風ファン７の間欠運転処理を実行する（ステップＳ８）。上記間欠運転モードは空気除菌装置１の運転停止ボタンが押されるとリセットされる。
具体的には、制御部１００は、図８に示すように、送風ファン７の運転時間（本実施形態では９．５分）Ｔ５と停止時間（本実施形態では７分）Ｔ６とからなる間欠運転周期Ｔ７を繰り返して実行されるようになっている。本構成では、間欠運転周期Ｔ７は、上記電解周期Ｔ４の１／２の長さに設定されており、送風ファン７が停止する場合には、電解槽３１が停止の状態にあると共に、送風ファン７が運転する場合には、電解槽３１が運転もしくは停止の状態にあるようになっている。また、本構成では、電解時間Ｔ２と、送風ファン７の運転時間Ｔ５との間には相関関係があり、この電解時間Ｔ２をＸ分とした場合、当該運転時間Ｔ５は（Ｘ＋６．５）分に設定される。
また、本構成では、間欠運転モードが実行中に、送風ファン７が停止している場合には、運転ランプ１０２Ａを点滅させることにより報知するようになっている。
【００２９】
また、本構成では、空気除菌装置１が起動して送風ファン７が運転されてから所定の運転継続時間（本実施形態では４２．５分：所定時間）Ｔ８の間、送風ファン７を連続運転するようになっている。この運転継続時間Ｔ８は、本装置１が設置された空間を清浄するために十分な時間として設定されており、当該運転継続時間Ｔ８の間、送風ファン７を連続運転することにより、送風ファン７から吐出された空気が気液接触部材５を通過する際に除菌される。そして、この除菌された空気が室内空間に十分に拡散されるため、当該室内中に浮遊するウィルス（例えば、インフルエンザウィルス）を抑制した状態を確保することができる。
【００３０】
本実施形態によれば、水を電気分解して電解水を生成する電解手段３１と、この電解手段３１が生成した電解水が滴下される気液接触部材５と、この気液接触部材５に室内の空気を送風する送風ファン７とを備えた空気除菌装置１において、送風ファン７を間欠運転させる運転手段１００を備え、この運転手段１００により間欠運転を行う場合、運転の開始から運転継続時間Ｔ８の間、送風ファン７を連続運転させるため、この空気除菌装置１が設置された室内を清浄化された状態に確保することができるとともに、この状態で送風ファン７の運転時間が低減されることにより、電力使用量を削減し、省エネルギー化を図ることができる。
【００３１】
また、本実施形態によれば、所定時間Ｔ７が本装置１の設置空間を清浄するのに十分な時間として設定されているため、例えば、学校の教室に設置した場合には、授業中は人の出入りが少ないため、教室内を清浄された状態に確保しつつ、電力使用量を削減し、省エネルギー化を図ることができる。
【００３２】
また、本実施形態によれば、間欠運転が風速弱の間欠運転であることため、送風ファン７の電力使用量を更に削減することができ、省エネルギー化を図ることができる。
また、本実施形態では、送風ファン７の間欠運転において、送風ファン７が停止する場合には、電解槽３１が停止の状態にあると共に、送風ファン７が運転する場合には、電解槽３１が運転もしくは停止の状態にあるため、電解槽３１が電気分解処理を実行する場合には、常に送風ファン７が運転している状態にある。従って、電気分解によって生成された次亜塩素酸は、すぐに気液接触部材５にて室内空気と接触可能であるため、この次亜塩素酸が空気中のウィルス等の抑制以外に用いられることがなく、電気分解処理を効率的に行うことができる。
【００３３】
以上、本発明の一実施形態について説明したが、本発明はこれに限定されるものではなく、種々の変更実施が可能である。
例えば、上記実施形態では、送風ファン７を間欠運転する場合について説明したが、これに限るものではなく、送風ファン７の風量を基準風量（風速弱に相当）と、この基準風量よりも低い風量とで交互に切り替えて運転するような構成としても良い。この構成によっても、送風ファンを基準風量よりも低い風量で運転することにより、この送風ファンの電力使用量を削減し、省エネルギー化を図ることができる。この構成では、制御部１００が省エネ運転手段として機能する。この構成において、風速（風量）の切り替えを基準風量と当該基準風量よりも低い風量との間でリニア制御する構成としても良い。この構成によれば、風量切替時の音の変化が押さえられるため、静音性を実現できるとともに、ユーザが風量変化に違和感を覚えることが防止される。
この送風機７のリニア制御は、間欠運転時の風量切替の際に行ってもよく、これによっても、風量切替時の音の変化が押さえられるため、静音性を実現できるとともに、ユーザが風量変化に違和感を覚えることが防止される。
また、例えば、空気除菌装置１に空気の汚れを検出する汚れ検出器を搭載し、この汚れ検出器が、上述した間欠運転中に空気の汚れ等を検出した場合には、この間欠運転を一時中断して、通常の除菌運転を強制的に行なう構成としても良い。また、通常の除菌運転中に、所定時間、空気の汚れ等が検出されない場合には、この通常の除菌運転を一時中断して、間欠運転を強制的に行う構成としても良い。
【００３４】
また、例えば、活性酸素種としてオゾン（Ｏ3）や過酸化水素（Ｈ2Ｏ2）を発生させる構成としてもよい。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００３５】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材５に空気を通過させることにより、空気中に浮遊する対象ウィルス等を不活化することができる。また、臭気も気液接触部材５を通過する際に、電解水中のオゾンまたは過酸化水素と反応し、イオン化して溶解することで、空気中から除去され、脱臭される。
【００３６】
また、上記実施形態では、出し入れ自在な給水タンク１１による給水方式としたが、この給水タンク１１の代わりに、例えば水道管を接続して、市水を直接導く水配管給水方式としてもよい。
【図面の簡単な説明】
【００３７】
【図１】本発明の一実施形態に係る空気除菌装置の斜視図である。
【図２】空気除菌装置の内部構成を示す斜視図である。
【図３】空気除菌装置の縦断面図である。
【図４】気液接触部材の構成を示す図である。
【図５】電解槽の内部構成を示す図である。
【図６】空気除菌装置の構成の説明に供するで模式図ある。
【図７】間欠運転モードの動作を示すフローチャートである。
【図８】間欠運転モード時の各部の動作タイミングを示すタイミングチャートである。
【符号の説明】
【００３８】
１  空気除菌装置
２  筐体
５  気液接触部材
７  送風ファン
９  水受け皿
１０  支持皿
１１  給水タンク
１３  循環ポンプ
３１  電解槽（電解手段）
３２、３３  電極
１００  制御部（運転手段、省エネ運転手段）
【図１】
0005305563.tif 000002
【図２】
0005305563.tif 000003
【図３】
0005305563.tif 000004
【図４】
0005305563.tif 000005
【図５】
0005305563.tif 000006
【図６】
0005305563.tif 000007
【図７】
0005305563.tif 000008
【図８】
0005305563.tif 000009